(57)【要約】【課題】ビデオカメラのような画像入力機器を外部機器に接続して、その外部機器により画像入力機器内の画像処理パラメータを容易に設定できるようにする。【解決手段】画像処理した画像信号を出力する画像出力装置１と、画像出力装置から出力される画像を表示可能な外部装置２とを通信可能に備える画像処理システムであって、画像出力装置は、外部装置から送信される異なる画像処理パラメータに基づいて複数の画像処理を行なう画像処理部１８と、画像処理部により異なる画像処理パラメータ毎に処理された複数の画像を前記外部装置に送信する第１の送信部２６とを備え、外部装置は、異なる画像処理パラメータを設定する設定部５０と、異なる画像処理パラメータを画像出力装置に送信する第２の送信部４４と、画像出力装置から送信されてきた複数の画像を同時に表示する表示部４２とを備える。【選択図】      図１
2007067704.tif 000002
【特許請求の範囲】
【請求項１】
画像処理した画像信号を出力する画像出力装置と、該画像出力装置から出力される画像を表示可能な外部装置とを通信可能に備える画像処理システムであって、
前記画像出力装置は、前記外部装置から送信される異なる画像処理パラメータに基づいて複数の画像処理を行なう画像処理手段と、該画像処理手段により前記異なる画像処理パラメータ毎に処理された複数の画像を前記外部装置に送信する第１の送信手段とを備え、
前記外部装置は、前記異なる画像処理パラメータを設定する設定手段と、前記異なる画像処理パラメータを前記画像出力装置に送信する第２の送信手段と、前記画像出力装置から送信されてきた前記複数の画像を同時に表示する表示手段とを備えることを特徴とする画像処理システム。
【請求項２】
前記外部装置は、前記複数の画像から所望の画像を選択する選択手段をさらに備え、前記画像出力装置は、前記選択手段により選択された所望の画像を得るために用いられた画像処理パラメータである特定画像処理パラメータを、画像処理を行なうためのパラメータとして設定することを特徴とする請求項１に記載の画像処理システム。
【請求項３】
前記外部装置は、前記選択手段により前記所望の画像が選択された場合に、前記所望の画像の前記表示手段における表示状態を変更することを特徴とする請求項２に記載の画像処理システム。
【請求項４】
前記画像出力装置は、該画像出力装置に初期状態として設定されている前記画像処理パラメータを初期パラメータとして前記外部装置に送信する第３の送信手段をさらに備えることを特徴とする請求項１に記載の画像処理システム。
【請求項５】
前記外部装置は、前記画像出力装置から送信された前記初期パラメータを記憶する記憶手段をさらに備えることを特徴とする請求項４に記載の画像処理システム。
【請求項６】
前記外部装置は、該外部装置の処理を中止する場合に、前記記憶手段に記憶されている初期パラメータを前記画像出力装置に送信し、前記画像出力装置は、前記初期パラメータを画像処理を行うためのパラメータとして設定することを特徴とする請求項５に記載の画像処理システム。
【請求項７】
前記設定手段は、前記異なる画像処理パラメータを設定する場合に、前記画像処理パラメータの調整量を変更する調整量変更手段をさらに備えることを特徴とする請求項１に記載の画像処理システム。
【請求項８】
画像処理した画像信号を出力する画像出力装置と、該画像出力装置から出力される画像を表示可能な外部装置とを通信可能に備える画像処理システムを制御する方法であって、
異なる画像処理パラメータを設定する設定工程と、
前記異なる画像処理パラメータを前記外部装置から前記画像出力装置に送信する第１の送信工程と、
前記外部装置から前記画像出力装置に送信された異なる画像処理パラメータに基づいて複数の画像処理を行なう画像処理工程と、
該画像処理工程において前記異なる画像処理パラメータ毎に処理された複数の画像を前記画像出力装置から前記外部装置に送信する第２の送信工程と、
前記画像出力装置から前記外部装置に送信された前記複数の画像を同時に表示する表示工程とを備えることを特徴とする画像処理システムの制御方法。
【請求項９】
前記複数の画像から所望の画像を選択する選択工程をさらに備え、前記選択工程において選択された所望の画像を得るために用いられた画像処理パラメータである特定画像処理パラメータを、前記画像出力装置における画像処理を行なうためのパラメータとして設定することを特徴とする請求項８に記載の画像処理システムの制御方法。
【請求項１０】
前記選択工程において前記所望の画像が選択された場合に、前記表示工程における前記所望の画像の表示状態を変更することを特徴とする請求項９に記載の画像処理システムの制御方法。
【請求項１１】
前記画像出力装置に初期状態として設定されている前記画像処理パラメータを初期パラメータとして前記画像出力装置から前記外部装置に送信する第３の送信工程をさらに備えることを特徴とする請求項８に記載の画像処理システムの制御方法。
【請求項１２】
前記画像出力装置から前記外部装置に送信された前記初期パラメータを記憶する記憶工程をさらに備えることを特徴とする請求項１１に記載の画像処理システムの制御方法。
【請求項１３】
前記外部装置の処理を中止する場合に、前記記憶工程において記憶された初期パラメータを前記画像出力装置に送信し、前記初期パラメータを前記画像出力装置における画像処理を行うためのパラメータとして設定することを特徴とする請求項１２に記載の画像処理システムの制御方法。
【請求項１４】
前記設定工程において、前記異なる画像処理パラメータを設定する場合に、前記画像処理パラメータの調整量を変更する調整量変更工程をさらに備えることを特徴とする請求項８に記載の画像処理システムの制御方法。
【請求項１５】
請求項８乃至１４のいずれか１項に記載の制御方法をコンピュータに実行させることを特徴とするプログラム。
【請求項１６】
請求項１５に記載のプログラムを記憶したことを特徴とするコンピュータ読み取り可能な記憶媒体。
【請求項１７】
画像処理した画像信号を外部装置に出力可能な画像出力装置であって、
前記画像出力装置と通信可能な外部装置から送信される異なる画像処理パラメータに基づいて複数の画像処理を行なう画像処理手段と、
該画像処理手段により前記異なる画像処理パラメータ毎に処理された複数の画像を前記外部装置に送信する送信手段と、
を備えることを特徴とする画像出力装置。
【請求項１８】
画像処理した画像信号を出力する画像出力装置と通信可能な外部装置であって、
異なる画像処理パラメータを設定する設定手段と、
前記異なる画像処理パラメータを前記画像出力装置に送信する送信手段と、
前記画像出力装置から送信されてきたところの、前記画像出力装置において前記異なる画像処理パラメータ毎に処理された複数の画像を同時に表示する表示手段と、
を備えることを特徴とする外部装置。
【発明の詳細な説明】
【技術分野】
【０００１】
本発明は、画像処理パラメータを適切な値に設定する技術に関するものである。
【背景技術】
【０００２】
従来より、原画像に対して所望の画像処理を行い、その画像処理を行った画像と原画像を同時に表示して比較し、どのような画像処理が行われたかを認識可能とする画像処理方法が知られている。例えば、パーソナルコンピュータ（ＰＣ）上で動作するフォトレタッチソフトウェアでは、次のような方法で画像処理を行なうことができる。すなわち、静止画の色調整を行う際に、原画像及びその原画像に対してソフトウェアで画像処理を行って色を変化させた画像を並べて表示し、表示された画像を参照することで好みの色を選択していくといった方法で、実際の画像処理を行うことができる。
【０００３】
また、撮影した静止画像を複数枚並べて表示するレイアウト等を、デジタルカメラの本体内で設定し、電子アルバム的に活用可能とする先行技術がある（特許文献１参照）。
【特許文献１】特開２００５−１７６２１６号公報
【発明の開示】
【発明が解決しようとする課題】
【０００４】
従来では、上記のように撮影済の画像データに対して、ＰＣ内でフォトレタッチソフトウェア等により画像処理するものや、デジタルカメラ内で本来ＰＣにて実行される如きレイアウトを設定して出力するものはあった。しかし、いずれもＰＣ或いはカメラ単独での操作であり、自機と外部機器とのコラボレーションにより適切且つ効率的な画像調整を実行するものではなかった。
【０００５】
この点に関し、ビデオカメラのような動画を扱う装置を考えた場合、リアルタイムに画像は進行するので単独の機器ではタイミング調整が難しかったり、或いは単独の機器の処理だけでは過大な負荷が生じたりする。そのため、機器間の協調動作によって画質調整等を行ったほうが、より良い結果が簡単に得られる状況が起こり得る。
【０００６】
また、画像入力機器のパラメータを調整して画質調整や色調整を行った場合と、ＰＣ上のソフトウェアが画像入力機器から取得した画像データに対して同じ趣旨の画像調整を行った場合とでは、様々な要因からその結果に差が生じることが通例である。さらには同じ機種であっても画像入力機器ごとに微妙に特性が異なっているような例もある。したがって、それぞれの画像入力機器に固有の画像調整が必要となるので、やはり機器間の協調動作によって画質調整等を行ったほうが、容易に所望の画像を得ることができる。
【０００７】
従って、本発明は上述した課題に鑑みてなされたものであり、ビデオカメラのような画像入力機器を外部機器に接続して、その外部機器により画像入力機器内の画像処理パラメータを容易に設定できるようにすることである。
【課題を解決するための手段】
【０００８】
上述した課題を解決し、目的を達成するために、本発明に係わる画像処理システムは、画像処理した画像信号を出力する画像出力装置と、該画像出力装置から出力される画像を表示可能な外部装置とを通信可能に備える画像処理システムであって、前記画像出力装置は、前記外部装置から送信される異なる画像処理パラメータに基づいて複数の画像処理を行なう画像処理手段と、該画像処理手段により前記異なる画像処理パラメータ毎に処理された複数の画像を前記外部装置に送信する第１の送信手段とを備え、前記外部装置は、前記異なる画像処理パラメータを設定する設定手段と、前記異なる画像処理パラメータを前記画像出力装置に送信する第２の送信手段と、前記画像出力装置から送信されてきた前記複数の画像を同時に表示する表示手段とを備えることを特徴とする。
【０００９】
また、本発明に係わる画像処理システムの制御方法は、画像処理した画像信号を出力する画像出力装置と、該画像出力装置から出力される画像を表示可能な外部装置とを通信可能に備える画像処理システムを制御する方法であって、異なる画像処理パラメータを設定する設定工程と、前記異なる画像処理パラメータを前記外部装置から前記画像出力装置に送信する第１の送信工程と、前記外部装置から前記画像出力装置に送信された異なる画像処理パラメータに基づいて複数の画像処理を行なう画像処理工程と、該画像処理工程において前記異なる画像処理パラメータ毎に処理された複数の画像を前記画像出力装置から前記外部装置に送信する第２の送信工程と、前記画像出力装置から前記外部装置に送信された前記複数の画像を同時に表示する表示工程とを備えることを特徴とする。
【００１０】
また、本発明に係わるプログラムは、上記の制御方法をコンピュータに実行させることを特徴とする。
【００１１】
また、本発明に係わる記憶媒体は、上記のプログラムを記憶したことを特徴とする。
【００１２】
また、本発明に係わる画像出力装置は、画像処理した画像信号を外部装置に出力可能な画像出力装置であって、前記画像出力装置と通信可能な外部装置から送信される異なる画像処理パラメータに基づいて複数の画像処理を行なう画像処理手段と、該画像処理手段により前記異なる画像処理パラメータ毎に処理された複数の画像を前記外部装置に送信する送信手段と、を備えることを特徴とする。
【００１３】
また、本発明に係わる外部装置は、画像処理した画像信号を出力する画像出力装置と通信可能な外部装置であって、異なる画像処理パラメータを設定する設定手段と、前記異なる画像処理パラメータを前記画像出力装置に送信する送信手段と、前記画像出力装置から送信されてきたところの、前記画像出力装置において前記異なる画像処理パラメータ毎に処理された複数の画像を同時に表示する表示手段と、を備えることを特徴とする。
【発明の効果】
【００１４】
本発明によれば、ビデオカメラのような画像入力機器を外部機器に接続して、その外部機器により画像入力機器内の画像処理パラメータを容易に設定することが可能となる。
【発明を実施するための最良の形態】
【００１５】
以下、本発明の好適な一実施形態について、添付図面を参照して詳細に説明する。
【００１６】
図１は、本発明の一実施形態の画像処理システムを構築するデジタルビデオカメラ１とパーソナルコンピュータ（以下、ＰＣと記す）２の構成を示すブロック図である。
【００１７】
図１において、デジタルビデオカメラ１は次のような構成を備える。１０は被写体からの光を結像させるためのレンズ、１２はレンズ１０により結像された被写体像を光電変換するための撮像素子、１４は撮像素子１２を駆動するための駆動回路である。また、１６は撮像素子１２から出力されるアナログ画像信号をデジタル画像信号に変換するＡ／Ｄ変換器、１８はＡ／Ｄ変換器１６から出力されるデジタル画像信号に画像処理を施す画像処理回路である。２０は画像処理されたデジタル画像信号を記録媒体等に記録する記録部である。２２はデジタルビデオカメラ全体を制御するシステム制御回路、２４はシステム制御回路２２の動作プログラム、処理中の画像信号、画像処理用の各種パラメータなどを記憶する記憶部である。記憶部２４はシステム制御回路２２のワーク領域としても使用される。また、２６はデジタルビデオカメラ１がＰＣ２と通信を行なうためのデジタルインターフェースである。
【００１８】
また、図１において、ＰＣ２はごく一般的なパーソナルコンピュータであり、あらためて構成を説明するまでもないが、最低限の構成要素として、次のような構成を備える。４８はデジタル画像信号やＰＣ上で作動するアプリケーションソフトウェア等を記憶する記憶部であり、４６は記憶部４８に記憶されているソフトウェアに従って処理を行なうＣＰＵである。４２はＣＰＵの処理に従って必要な情報を表示する液晶ディスプレイ等の表示部、５０はユーザが必要な情報の入力を行なうためのキーボード、マウス等の操作部、４４はＰＣ２がデジタルビデオカメラ１と通信を行なうためのデジタルインターフェースである。デジタルインターフェース２６，４４は、ケーブル３０により互いに接続されている。
【００１９】
本実施形態の画像処理システムは、ＰＣ２とデジタルビデオカメラ１をＩＥＥＥ１３９４ケーブル３０で接続して構成され、ＰＣ２上のソフトウェアがデジタルビデオカメラ１の制御を行う。
【００２０】
ＩＥＥＥ１３９４インターフェースでは、アイソクロナストランザクションとアシンクロナストランザクションの２種類のデータ転送がある。そして、動画データのリアルタイム転送にはアイソクロナストランザクションが使用され、制御信号等の転送にはアシンクロナストランザクションが使用される。デジタルビデオカメラ１は、カメラ撮影しているときの映像データをＩＥＥＥ１３９４インターフェース２６からアイソクロナストランザクションで出力しているものとする。また、ＰＣ２は制御信号をアシンクロナストランザクションで出力して、デジタルビデオカメラ１の画像処理パラメータであるカラーゲイン（色の濃さ）を調整できるものとする。またＰＣ２は、上記アシンクロナストランザクションを行なって、必要な情報をデジタルビデオカメラ１から取得することもできる。
【００２１】
次に上記のように構成される画像処理システムの動作について説明する。
【００２２】
図２は、本実施形態におけるＰＣ２上のソフトウェアにより実行される処理の手順を示すフローチャートである。
【００２３】
まず、ステップＳ１０１では内部変数「Finish」にFALSEをセットする。この変数はBoolean型変数であり、画像処理作業が終了したか否かを示す変数である。
【００２４】
ステップＳ１０２ではデジタルビデオカメラ１に設定されている現在のカラーゲイン値を取得する。本実施形態では、カラーゲインの値は０から１２までの整数値を取れるものとし、値が大きいほど色が濃くなるものとする。カラーゲイン値の取得には、アシンクロナストランザクションを使用する。ＰＣ２上のソフトウェアはデジタルビデオカメラ１に対して設定値取得のためのアシンクロナスパケットを送信し、そのパケットを受信したデジタルビデオカメラ１は現在のカラーゲインの設定値がセットされたアシンクロナスパケットをＰＣ２に送信する。
【００２５】
ステップＳ１０３、Ｓ１０４ではデジタルビデオカメラ１から受信したアシンクロナスパケットからカラーゲインの設定値を読み出し、内部変数である「Original」及び「Current」に値をセットする。「Original」は画像処理開始時のカラーゲインの設定値を保持し、「Current」は現在のカラーゲインの設定値を保持する。
【００２６】
ステップＳ１０５では、ＰＣ２はデジタルビデオカメラ１から出力されている画像データを取得して、記憶部４８に一時記憶してから表示部４２の画面上に画像表示を行う。
【００２７】
ステップＳ１０６では表示部４２に表示された画像をユーザーが選択することで、画像処理のパラメータを決定する。ここで、例えば表示部４２には、後述するようにカラーゲイン値の現在の設定値を用いて処理された第１の画像と、カラーゲイン値を小さくして処理された第２の画像と、カラーゲイン値を大きくして処理された第３の画像が表示される。上記の、表示部４２に表示された画像をユーザーが選択するとは、これら第１乃至第３の画像からユーザーがカラーゲイン値が適正と判断した画像を選択することを意味する。
【００２８】
ステップＳ１０７では画像処理作業が終了したか否かを判別して、継続する場合はステップＳ１０５に戻って処理を続行する。
【００２９】
図３は、図２の画像表示ステップＳ１０５の詳細な処理を示すフローチャートである。
【００３０】
ステップＳ２０１では、ＰＣ２は現在の設定値で出力されているデジタルビデオカメラ１の画像データをキャプチャして記憶部４８に一時記憶した後、記憶部４８から読み出した画像データを、ステップＳ２０２で表示部４２の画面に表示する。
【００３１】
ここで、図４は、本実施形態における表示部４２の表示画面の例を示す図である。３０１が現在のカラーゲインの設定値での画像である。
【００３２】
ステップＳ２０３では、画像処理の調整幅（調整量）を取得する。図４中の３０４は調整幅を指定するためのスライダーバーであり、本実施形態では１から３までユーザーが設定することができる。
【００３３】
ステップＳ２０４では内部変数である「Range」にステップＳ２０３で取得した調整幅（調整量）を保存する。
【００３４】
次に、現在の設定値よりもカラーゲインの設定値を小さくした画像の表示について説明する。
【００３５】
ステップＳ２０５では「Current」の値が０か否かを判定することによって、カラーゲインを現在値よりも小さな値に設定可能かどうかを判別する。０である場合は現在値がカラーゲインの最小値であるので、以後の処理を行わず、ステップＳ２１２に進む。０以外の値である場合は、ステップＳ２０６で内部変数「MValue」に現在の設定値から調整幅（調整量）の値を引いた値を設定する。”MValue”は現在の設定値よりも小さいカラーゲインの設定値である。
【００３６】
ステップＳ２０７では「MValue」がマイナスの値になったか否かを判別し、マイナスである場合はステップＳ２０８でデジタルビデオカメラに設定可能な値である０を「MValue」にセットする。
【００３７】
ステップＳ２０９では「MValue」をパラメータとするアシンクロナスパケットをデジタルビデオカメラ１に送信する。そして、「MValue」の値を受け取ったデジタルビデオカメラ１は、デジタルビデオカメラ１内のカラーゲインの値を「MValue」にセットされている値に設定する。
【００３８】
ステップＳ２１０ではステップＳ２０９で設定した設定値で出力されているデジタルビデオカメラ１の画像データをキャプチャして記憶部４８に一時記憶した後、記憶部４８から読み出した画像データを、ステップＳ２１１で現在の画像よりもカラーゲインの値をマイナス側に設定した画像として表示する。図４中の３０２がそのようにして表示されたマイナス設定の画像である。
【００３９】
ステップＳ２０５の判定結果により、カラーゲインのマイナス設定処理を行わなかった場合は、画像３０２には例えば全面黒のイメージを表示する。
【００４０】
次に、現在の設定値よりもカラーゲインの設定値を大きくした画像の表示について説明する。
【００４１】
ステップＳ２１２では「Current」の値が１２か否かを判定することによって、カラーゲインを現在値よりも大きな値に設定可能かどうかを判別する。１２である場合は現在値がカラーゲインの最大値であるので、以後の処理を行わず、ステップＳ２１９に進む。１２以外の値である場合は、ステップＳ２１３で内部変数「PValue」に現在の設定値に調整幅（調整量）の値を加えた値を設定する。「PValue」は現在の設定値よりも大きいカラーゲインの設定値である。
【００４２】
ステップＳ２１４では「PValue」が設定可能な最大値（ここでは１２）を超えたか否かを判別し、超えている場合はステップＳ２１５でデジタルビデオカメラ１に設定可能な値である１２を「PValue」にセットする。
【００４３】
ステップＳ２１６では「PValue」をパラメータとするアシンクロナスパケットをデジタルビデオカメラ１に送信する。そして、「PValue」の値を受け取ったデジタルビデオカメラ１は、デジタルビデオカメラ１内のカラーゲインの値を「PValue」にセットされている値に設定する。
【００４４】
ステップＳ２１７ではステップＳ２１６で設定した設定値で出力されているデジタルビデオカメラ１の画像データをキャプチャして記憶部４８に一時記憶した後、記憶部４８から読み出した画像データを、ステップＳ２１８で現在の画像よりもカラーゲインの設定をプラス側に設定した画像として表示する。図４中の３０３がそのようにして表示されたプラス設定の画像である。
【００４５】
ステップＳ２１２の判定結果により、カラーゲインのプラス設定処理を行わなかった場合は、画像３０３には例えば全面黒のイメージを表示する。
【００４６】
ステップＳ２１９では「Current」をパラメータとするアシンクロナスパケットをデジタルビデオカメラ１に送信することで、デジタルビデオカメラ１のカラーゲインの値を初期状態に戻す。
【００４７】
図５は、図２の画像選択ステップＳ１０６の詳細な処理を示すフローチャートである。
【００４８】
ステップＳ４０１では、図４中の画像３０２または画像３０３が操作部５０のマウスでクリックされたか否かを判定する。ユーザーは図４の画像３０１〜３０３から適切な画像処理が行なわれていると思われる画像を選択してクリックすることができるので、ステップＳ４０１ではこのクリックが行なわれたか否かを判定する。なお、本フローチャートではマウスクリックの判定となっているが、キーボード操作による選択等、他の選択方法で判定することも可能である。
【００４９】
ステップＳ４０１で画像がクリックされた場合は、ステップＳ４０２で選択された画像を判定する。画像３０２が選択された場合はステップＳ４０３で現在の設定値より小さいカラーゲイン値を設定できるか否かを判定する。そして、設定可能である場合はステップＳ４０４で内部変数「Current」に画像３０２の設定値である内部変数「MValue」の値をセットする。設定不可能である場合は何もせずステップＳ４０１に戻る。画像３０３が選択された場合はステップＳ４０５で現在の設定値より大きいカラーゲイン値を設定できるか否かを判定する。そして、設定可能である場合はステップＳ４０６で内部変数「Current」に画像３０３の設定値である内部変数「PValue」の値をセットする。設定不可能である場合は何もせずステップＳ４０１に戻る。
【００５０】
内部変数「Current」の値をセットした後、ステップＳ４０７では「Current」をパラメータとするアシンクロナスパケットをデジタルビデオカメラ１に送信する。これによりデジタルビデオカメラ１内のカラーゲインの値を「Current」にセットされている値に設定する。
【００５１】
図５に示す処理を終了すると、図２のステップＳ１０７に進むが、「Finish」はステップＳ１０１で「FALSE」に設定されたままであるので、Finish＝FALSEである。そのため、ステップＳ１０７からステップＳ１０５に戻り、「Current」の値を現在の設定値として画像表示が更新される。言い換えれば、「Current」に設定されているカラーゲイン値を用いてデジタルビデオカメラ１で処理された画像が、図４の画像３０１の位置に表示される。
【００５２】
図５のステップＳ４０１で画像がクリックされていない場合は、ステップＳ４０８で図４中の調整幅指定用スライダーが変更されたか否かを検出する。変更されている場合は図５に示す処理を終了し、図２中のステップＳ１０７に進み、Finish＝FALSEであるため、ステップＳ１０５で「Current」の値を現在の設定値として新しい調整幅で画像表示が更新される。言い換えれば、画像３０１に対してカラーゲイン値を新しい調整幅（調整量）分だけ増減した画像が、図４の画像３０３，３０２の位置に表示される。
【００５３】
ステップＳ４０８で調整幅が変更されていない場合は、ステップＳ４０９で図４中のＣａｎｃｅｌボタン３０６が操作部５０のマウス等によりクリックされたか否かを判定する。Ｃａｎｃｅｌボタン３０６は画像処理を中止するボタンである。Ｃａｎｃｅｌボタン３０６がクリックされている場合は、ステップＳ４１０で内部変数「Current」に画像処理開始前の設定値である内部変数「Original」の値をセットする。その後、ステップＳ４１１で内部変数「Finish」にTRUEをセットする。
【００５４】
ステップＳ４０７では「Current」をパラメータとするアシンクロナスパケットをデジタルビデオカメラ１に送信することでデジタルビデオカメラ１のカラーゲインの値を画像処理開始前の設定値に戻す。図５に示す処理を終了すると、図２中のステップＳ１０７に進み、Finish＝TRUEであるため画像処理を終了する。
【００５５】
ステップＳ４０９でＣａｎｃｅｌボタン３０６がクリックされていない場合は、ステップＳ４１２で図４中のＯＫボタン３０５が操作部５０のマウス等によりクリックされたか否かを判定する。ＯＫボタン３０７は画像処理を確定して終了するボタンである。ＯＫボタン３０５がクリックされていない場合はステップＳ４０１に戻る。ＯＫボタン３０５がクリックされている場合は、ステップＳ４１３で内部変数「Finish」にTRUEをセットする。
【００５６】
図５に示す処理が終了すると、図２のステップＳ１０７に進み、Finish＝TRUEであるため画像処理を終了する。この結果、デジタルビデオカメラ１のカラーゲインの値には、内部変数「Current」の値が設定される。
【００５７】
以上説明したように、上記の実施形態によれば、ユーザーは現在の値による画像と設定値を変更した複数の画像を受信してＰＣ２の画面上で比較することができ、表示された画像を、ＰＣ２を操作して選択していくことで所望の画像処理パラメータをデジタルビデオカメラ１に設定させることが可能となる。
【００５８】
なお、上記の実施形態では、カラーゲインを設定する外部装置としてパーソナルコンピュータを使用する場合について説明したが、これに限らず、ビデオカメラの画像処理パラメータを設定する専用の処理装置として構成してもよい。
【００５９】
また、画像処理パラメータとしてカラーゲインを調整する場合について説明したが、カラーゲインに限らず他の画像処理パラメータについても、パラメータの初期値による画像処理結果と調整後の値による画像処理結果を比較しながら調整可能である。
【００６０】
また、デジタルビデオカメラにおける画像処理のパラメータを設定する場合について説明したが、デジタルビデオカメラに限らず、他の画像入力機器にも適用可能である。
【００６１】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００６２】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００６３】
本発明を上記記憶媒体に適用する場合、その記憶媒体には、先に説明した手順に対応するプログラムコードが格納されることになる。
【図面の簡単な説明】
【００６４】
【図１】一実施形態の画像処理システムを構築するデジタルビデオカメラとパーソナルコンピュータの構成を示すブロック図である。
【図２】本発明の一実施形態におけるＰＣ上のソフトウェアにより実行される処理の手順を示すフローチャートである。
【図３】図２の画像表示ステップの詳細な処理を示すフローチャートである。
【図４】本発明の一実施形態における表示部の表示画面の例を示す図である。
【図５】図２の画像選択ステップの詳細な処理を示すフローチャートである。
【符号の説明】
【００６５】
１  デジタルビデオカメラ
２  パーソナルコンピュータ
１０  レンズ
１２  撮像素子
１４  駆動回路
１６  Ａ／Ｄ変換器
１８  画像処理回路
２０  記録部
２２  システム制御回路
２４  記憶部
２６  デジタルインターフェース
４２  表示部
４４  デジタルインターフェイス
４６  ＣＰＵ
４８  記憶部
５０  操作部
【図１】
2007067704.tif 000003
【図２】
2007067704.tif 000004
【図３】
2007067704.tif 000005
【図４】
2007067704.tif 000006
【図５】
2007067704.tif 000007